(57)【要約】【課題】文書情報伝達方法及び装置を提供する。【解決手段】オープンされた文書上でタッチまたはクリックの入力が感知されれば、前記文書についての情報伝達命令として認識するステップと、ターゲット客体上でリリース入力が感知されれば、前記文書についての情報を前記ターゲット客体に伝達するステップと、を含むことを特徴とする文書情報伝達方法であって、前記伝達するステップは、前記ターゲット客体の類型によって、前記ターゲット客体に伝達する情報を決定するステップを含むことを特徴とする。【選択図】図２
2011138516.tif 000002
【特許請求の範囲】
【請求項１】
オープンされた文書上でタッチまたはクリックの入力が感知されれば、前記文書についての情報伝達命令として認識するステップと、
ターゲット客体上でリリース入力が感知されれば、前記文書についての情報を前記ターゲット客体に伝達するステップと、
を含むことを特徴とする文書情報伝達方法。
【請求項２】
前記伝達するステップは、前記ターゲット客体の類型によって、前記ターゲット客体に伝達する情報を決定するステップを含むことを特徴とする請求項１に記載の文書情報伝達方法。
【請求項３】
前記文書についての情報を伝達するための伝達モードに、イベントモードを転換するステップをさらに含むことを特徴とする請求項１に記載の文書情報伝達方法。
【請求項４】
前記伝達モードに転換するステップは、前記文書についての情報を伝達されるターゲット客体が選択またはオープンされれば、前記イベントモードを前記伝達モードに転換するステップを含むことを特徴とする請求項３に記載の文書情報伝達方法。
【請求項５】
前記情報伝達命令として認識するステップは、
前記タッチまたはクリックの入力が感知されれば、前記文書についての情報を臨時保存する移動可能な客体を生成してディスプレイするステップと、
ムーブまたはドラグの入力が感知されれば、前記移動可能な客体を移動させるステップと、
を含むことを特徴とする請求項１に記載の文書情報伝達方法。
【請求項６】
前記オープンされた文書は、ウェブページであることを特徴とする請求項１に記載の文書情報伝達方法。
【請求項７】
前記伝達するステップは、前記ターゲット客体がブックマークリストである場合、前記ウェブページのアドレスを、前記ブックマークリストに保存するステップを含むことを特徴とする請求項６に記載の文書情報伝達方法。
【請求項８】
前記伝達するステップは、前記ターゲット客体がクリップボードである場合、前記文書のスナップショットを生成して、前記クリップボードに保存するステップを含むことを特徴とする請求項１に記載の文書情報伝達方法。
【請求項９】
前記伝達するステップは、前記ターゲット客体が文書編集器である場合、前記文書の内容を前記文書編集器が編集中である文書に挿入するステップを含むことを特徴とする請求項１に記載の文書情報伝達方法。
【請求項１０】
前記伝達するステップは、前記ターゲット客体がフォルダである場合、前記文書に該当するファイルを前記フォルダに保存するステップを含むことを特徴とする請求項１に記載の文書情報伝達方法。
【請求項１１】
前記伝達するステップは、前記ターゲット客体が電話帳である場合、前記文書の内容を前記リリース入力が感知された電話帳項目に該当する電話番号へ伝送するように、文字メッセージ伝送アプリケーションに指示するステップを含むことを特徴とする請求項１に記載の文書情報伝達方法。
【請求項１２】
文書情報伝達方法を行うためのプログラムを記録したコンピュータで読み取り可能な記録媒体において、前記方法は、
オープンされた文書上でタッチまたはクリックの入力が感知されれば、前記文書についての情報伝達命令として認識するステップと、
ターゲット客体上でリリース入力が感知されれば、前記文書についての情報を前記ターゲット客体に伝達するステップと、
を含むことを特徴とする記録媒体。
【請求項１３】
情報の入出力のためのタッチスクリーンと、
前記タッチスクリーンにオープンされた文書上でタッチまたはクリックの入力が感知されれば、前記文書についての情報伝達命令として認識し、ターゲット客体上でリリース入力が感知されれば、前記文書についての情報を前記ターゲット客体に伝達する制御部と、
を備えることを特徴とする文書情報伝達装置。
【請求項１４】
前記制御部は、前記ターゲット客体の類型によって、前記ターゲット客体に伝達する情報を決定することを特徴とする請求項１３に記載の文書情報伝達装置。
【請求項１５】
前記制御部は、前記文書についての情報を伝達するための伝達モードにイベントモードが転換されている場合、前記タッチまたはクリックの入力を、前記文書についての情報伝達命令として認識することを特徴とする請求項１３に記載の文書情報伝達装置。
【請求項１６】
前記制御部は、前記文書についての情報を伝達されるターゲット客体が選択またはオープンされれば、前記イベントモードを前記伝達モードに転換することを特徴とする請求項１３に記載の文書情報伝達装置。
【請求項１７】
前記制御部は、前記タッチまたはクリックの入力が感知されれば、前記文書についての情報を臨時保存する移動可能な客体を生成してディスプレイし、ムーブまたはドラグの入力が感知されれば、前記移動可能な客体を移動させることを特徴とする請求項１３に記載の文書情報伝達装置。
【請求項１８】
前記オープンされた文書は、ウェブページであることを特徴とする請求項１３に記載の文書情報伝達装置。
【請求項１９】
前記制御部は、前記ターゲット客体がブックマークリストである場合、前記ウェブページのアドレスを、前記ブックマークリストに保存することを特徴とする請求項１８に記載の文書情報伝達装置。
【請求項２０】
前記制御部は、前記ターゲット客体が電話帳である場合、前記文書の内容を前記リリース入力が感知された電話帳項目に該当する電話番号へ伝送するように、文字メッセージ伝送アプリケーションに指示することを特徴とする請求項１３に記載の文書情報伝達装置。
【発明の詳細な説明】
【技術分野】
【０００１】
本発明は、文書情報伝達方式に係り、特に現在作業している文書についての情報を他の客体に伝達するための文書情報伝達方法及びその装置に関する。
【背景技術】
【０００２】
ウェブブラウジング中に特定のサイトのアドレスを保存して、今後所望のウェブページに容易に接近可能にするブックマーク方法が広く使われている。また、最近タッチ入力方式を採用して、小さい画面を有した携帯機器でのインターネットサービスの使用も増加している。かかる携帯機器で、現在ブラウジングしているウェブページのアドレスを保存するために、ブラウザの上端にあるツールバーやサイドメニュでブックマーク追加ボタンをクリックする方法が使われているが、画面が小さく、入力手段が制限されている携帯機器でユーザが別途のメニュを操作するために、複数回クリック入力を行えねばならないという不便さがある。かかるブックマーキング方法については、特許文献１に記載されている。
【０００３】
また、ウェブブラウザ以外のアプリケーションを利用して、作業中である文書についての情報を他のアプリケーションまたは他の客体に伝達するためには、まず、文書を保存した後に、他のアプリケーションでオープンまたは挿入するメニュを操作せねばならないので、かかる作業も携帯機器で行うことは不便である。
【先行技術文献】
【特許文献】
【０００４】
【特許文献１】米国特許公開第２００８−０３１３７２２号公報
【発明の概要】
【発明が解決しようとする課題】
【０００５】
本発明の目的は、文書を開いて見ているか、または編集している最中に、簡便な方法で文書についての情報を他の客体に伝達するための文書情報伝達方法及び装置を提供するところにある。
【課題を解決するための手段】
【０００６】
本発明の一実施形態による文書情報伝達方法は、オープンされた文書上でタッチまたはクリックの入力が感知されれば、前記文書についての情報伝達命令として認識するステップと、ターゲット客体上でリリース入力が感知されれば、前記文書についての情報を前記ターゲット客体に伝達するステップと、を含む。
【０００７】
前記伝達するステップは、前記ターゲット客体の類型によって、前記ターゲット客体に伝達する情報を決定するステップを含む。
【０００８】
前記文書情報伝達方法は、前記文書についての情報を伝達するための伝達モードに、イベントモードを転換するステップをさらに含む。
【０００９】
前記伝達モードに転換するステップは、前記文書についての情報を伝達されるターゲット客体が選択またはオープンされれば、前記イベントモードを前記伝達モードに転換するステップを含む。
【００１０】
前記情報伝達命令として認識するステップは、前記タッチまたはクリックの入力が感知されれば、前記文書についての情報を臨時保存する移動可能な客体を生成してディスプレイするステップと、ムーブまたはドラグの入力が感知されれば、前記移動可能な客体を移動させるステップと、を含む。
【００１１】
前記オープンされた文書は、ウェブページでありうる。前記伝達するステップは、前記ターゲット客体がブックマークリストである場合、前記ウェブページのアドレスを前記ブックマークリストに保存するステップを含む。
【００１２】
前記伝達するステップは、前記ターゲット客体がクリップボードである場合、前記文書のスナップショットを生成して、前記クリップボードに保存するステップを含む。
【００１３】
前記伝達するステップは、前記ターゲット客体が文書編集器である場合、前記文書の内容を前記文書編集器が編集中である文書に挿入するステップを含む。
【００１４】
前記伝達するステップは、前記ターゲット客体がフォルダである場合、前記文書に該当するファイルを前記フォルダに保存するステップを含む。
【００１５】
前記伝達するステップは、前記ターゲット客体が電話帳である場合、前記文書の内容を前記リリース入力が感知された電話帳項目に該当する電話番号へ伝送するように、文字メッセージ伝送アプリケーションに指示するステップを含む。
【００１６】
本発明の他の実施形態による文書情報伝達装置は、情報の入出力のためのタッチスクリーンと、前記タッチスクリーンにオープンされた文書上でタッチまたはクリックの入力が感知されれば、前記文書についての情報伝達命令として認識し、ターゲット客体上でリリース入力が感知されれば、前記文書についての情報を前記ターゲット客体に伝達する制御部と、を備える。
【図面の簡単な説明】
【００１７】
【図１】本発明の一実施形態による文書情報伝達装置の構成図である。
【図２】本発明の他の実施形態による文書情報伝達方法のフローチャートである。
【図３】本発明のさらに他の実施形態によって、ウェブページのアドレスをブックマークバーに伝達する形態を示す画面である。
【図４】本発明のさらに他の実施形態によって、ウェブページのアドレスをブックマークバーに伝達する形態を示す画面である。
【図５】本発明のさらに他の実施形態によって、ウェブページのアドレスをブックマークバーに伝達する形態を示す画面である。
【図６】本発明のさらに他の実施形態によって、ウェブページのアドレスをブックマークバーに伝達する形態を示す画面である。
【図７】本発明のさらに他の実施形態によって、ウェブページのスナップショットをクリップボードに伝達する形態を示す画面である。
【図８】本発明のさらに他の実施形態によって、テキスト文書の内容を電話帳に伝達する形態を示す画面である。
【発明を実施するための形態】
【００１８】
以下、添付された図面を参照して、本発明の望ましい実施形態について具体的に説明する。
【００１９】
図１は、本発明の一実施形態による文書情報伝達装置１００の構成図である。
【００２０】
図１を参照すれば、文書情報伝達装置１００は、情報の入出力のためのタッチスクリーン１１０と、タッチスクリーン１１０を通じて入力された情報を処理し、その結果をタッチスクリーン１１０に出力するための制御部１２０とを備え、外部サーバーまたはネットワークとの通信のための通信部１３０をさらに備える。通信部１３０は、実施形態によって、ウェブサーバーとの通信を通じてウェブページを受信するか、または移動通信網に接続するための装置でありうる。制御部１２０は、タッチスクリーン１１０にディスプレイされた文書上でタッチまたはクリックの入力が感知されれば、文書についての情報伝達命令として認識し、ターゲット客体上でリリース入力が感知されれば、文書についての情報をターゲット客体に伝達する。この時、イベントモードが一般のモードであれば、タッチまたはクリックの入力が、一般的に使われるイベントとして認識されるが、伝達モードであれば、タッチまたはクリックの入力が文書についての情報をターゲット客体、すなわち、外部の他の客体に伝達せよという情報伝達命令として認識される。制御部１２０の詳細な機能と動作、多様な実施形態については、図２ないし図８を参照して後述する。
【００２１】
図２は、本発明の他の実施形態による文書情報伝達方法のフローチャートである。
【００２２】
制御部１２０により所定のアプリケーションが文書情報伝達装置１００に実行されており、アプリケーション上でオープンされている文書上でタッチまたはクリックの入力が感知されれば、文書についての情報をターゲット客体に伝達せよという命令として認識される（ステップ２１０）。本発明の文書は、特定のフォーマットに限定されず、一つ以上のイメージ、テキスト及び／または図表からなるいかなるフォーマットの文書でもあり、アプリケーションは、前記のような文書を見せるソフトウェアをいう。
【００２３】
前記アプリケーションがウェブブラウザである場合、ユーザにより要求されるＵＲＬ（Ｕｎｉｆｏｒｍ Ｒｅｓｏｕｒｃｅ Ｌｏｃａｔｏｒ）のウェブページがウェブブラウザにディスプレイされる。ウェブページ上でユーザのタッチ入力やクリック入力が感知されれば、現在ブラウジング中であるウェブページについての情報を他の客体に伝達せよという情報伝達命令として認識する。ウェブページについての情報は、ウェブページのＵＲＬアドレス、タイトル、ファビコン、ウェブページに含まれたコンテンツ、ウェブページを構成するファイル、メタ情報に含まれたキーワードなどとなりうる。
【００２４】
イベントモードを一般のモードと伝達モードとに分類し、一般のモードである場合は、タッチ入力やクリック入力を文書編集命令、リンク選択命令、パンニング命令またはスクロール命令など一般的に使われるイベントとして認識するが、伝達モードである場合は、タッチ入力やクリック入力を情報伝達命令として認識し、文書を固定させるように具現できる。伝達モードへの転換は、ユーザからの特定の入力を通じて行われる。例えば、ユーザが文書情報を伝達されるターゲット客体を選択またはオープンするか、または特定のジェスチャーを入力すれば、イベントモードが伝達モードに転換される。伝達する文書がウェブページである場合、伝達モードでは、ユーザがパンニング動作を入力しても、ウェブページが移動せずに固定される。
【００２５】
タッチ入力やクリック入力に続いて、ターゲット客体上でリリース入力が感知されれば、文書についての情報がターゲット客体に伝達される（ステップ２２０）。ターゲット客体の類型によって、文書情報のうち、どの情報を伝達するかが決定される。例えば、ターゲット客体が電話帳または文字メッセージ伝送アプリケーションである場合は、文書の内容がテキストで伝達されて、文字メッセージを通じて選択された電話番号へ伝送させる。ターゲット客体がクリップボードである場合は、文書のスナップショットが生成されてクリップボードに保存され、ターゲット客体が文書編集器である場合は、文書の内容自体が伝達されて、文書編集器が編集中である文書に挿入され、ターゲット客体がフォルダである場合は、文書を構成するファイルが伝達されてフォルダに保存される。ターゲット客体がブックマークリストである場合は、ブックマークを構成するための情報であるウェブページのアドレス、タイトル及び／またはファビコンが伝達されて、ブックマークリストに保存される。
【００２６】
図３ないし図６は、本発明のさらに他の実施形態によって、ウェブページのアドレスをブックマークバーに伝達する形態を示す画面である。
【００２７】
図３を参照すれば、現在ブラウジングされているウェブページ３００についての情報を含むブラウザで、ユーザがブックマークバー３１０を開いた時、一般のモードから伝達モードにイベントモードが転換されて、ウェブページ３００が固定される。ブックマークバー３１０は、ユーザが以前に保存したウェブページのファビコン３１１とアドレス３１２とを保存している。ウェブページ３００が固定された状態では、ウェブページ３００に含まれたリンクを選択しても、それに該当する他のウェブページに移動せず、パンニング入力を行っても、ウェブページ３００が移動しない。
【００２８】
図４を参照すれば、ウェブページ３００上でタッチ入力が発生すれば、ユーザがウェブページ３００についての情報の伝達を所望するものと認識される。この時、ウェブページ３００についての情報を臨時に保存する移動可能な客体４１０が生成されてディスプレイされ、現在ブラウジング中であるウェブページ３００についての情報が含まれていることを表すために、移動可能な客体４１０にウェブページ３００のファビコン４２０が含まれる。ターゲット客体がブックマークバー３１０であるので、伝達する情報は、ウェブページ３００のアドレス及びファビコン４２０として決定される。
【００２９】
図５を参照すれば、移動可能な客体４１０がユーザのムーブ入力またはドラグ入力により、ブックマークバー３１０上に移動したということが分かる。図６を参照すれば、ターゲット客体であるブックマークバー３１０上でリリース入力が感知されて、ウェブページ情報が移動可能な客体４１０からブックマークバー３１０に伝達され、移動可能な客体４１０は画面から消え、結果的に、ブックマークバー３１０に現在ウェブページ３００についてのファビコン４２０とアドレス６２０とが含まれた新たなブックマーク項目６１０が追加された。
【００３０】
図７は、本発明のさらに他の実施形態によって、ウェブページのスナップショットをクリップボードに伝達する形態を示す画面である。
【００３１】
図７を参照すれば、ターゲット客体は、クリップボード７２０であり、ユーザがウェブページ７１０をクリックすれば、移動可能な客体７１１がウェブページ７１０についての情報を伝達するために生成され、クリップボード７２０まで移動可能な客体７１１を移動させた後、手を離してクリップボード７２０上にドロップすれば、ウェブページ７１０のスナップショットがクリップボード７２０に保存される。
【００３２】
したがって、ユーザは、ウェブブラウジング中にキーボードの入力なしに、マウスやタッチ入力のみでウェブページのアドレスなど、ウェブページについての情報を他の客体に伝達できる。
【００３３】
図８は、本発明のさらに他の実施形態によって、テキスト文書の内容を電話帳に伝達する形態を示す画面である。
【００３４】
図８を参照すれば、画面８００には、メモ帳８１０が開かれており、ユーザが該アプリケーション８１０を利用してテキスト文書を編集している。また、ユーザは、電話帳の一種である友人リスト８３０を選択して開いておく。ユーザがターゲット客体である友人リスト８３０を選択すれば、イベントモードが一般のモードから伝達モードに転換されるので、開かれているテキスト文書上でタッチまたはクリックの入力を行えば、テキスト文書の編集のためのイベントでなく、情報伝達命令として認識し、ターゲット客体に伝達する情報は、ターゲット客体の類型を考慮して、テキスト文書の内容として決定される。伝達モードでは、テキスト文書上でタッチまたはクリックの入力が感知されれば、テキスト文書の内容を臨時保存する移動可能な客体８２０が生成されてディスプレイされる。ユーザが該客体８２０を友人リスト８３０の一つの項目８４０上に移動させた後、リリース入力が感知されれば、テキスト文書の内容が友人項目８４０に伝達される。伝達の結果として、友人項目８４０に該当する電話番号へテキスト文書の内容を伝送するように、文字メッセージ伝送プログラムに指示する。
【００３５】
したがって、ユーザは、テキスト文書を作成して保存した後、文字メッセージ伝送メニュを再びオープンし、保存されたテキスト文書を選択する必要なしに、マウスクリックやタッチ入力のみでテキスト文書の内容を直ちに他の人に伝送できる。
【００３６】
以上のように、本発明は、限定された実施形態と図面により説明されたが、本発明が前記の実施形態に限定されるものではなく、これは、当業者ならば、かかる記載から多様な修正及び変形が可能である。したがって、本発明の思想は、特許請求の範囲によってのみ把握されねばならず、これと均等であるか、または等価的な変形は、いずれも本発明の思想の範疇に属するといえる。また、本発明によるシステムは、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。記録媒体の例としては、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＣＤ−ＲＯＭ、磁気テープ、フロッピー（登録商標）ディスク、光データ保存装置などがあり、また、キャリアウェーブ（例えば、インターネットを通じた伝送）の形態に具現されるものも含む。また、コンピュータで読み取り可能な記録媒体は、ネットワークに連結されたコンピュータシステムに分散されて、分散方式でコンピュータ読み取り可能なコードが保存されて実行される。本発明は、記録媒体関連の技術分野に適用可能である。
【符号の説明】
【００３７】
１００  文書情報伝達装置
１１０  タッチスクリーン
１２０  制御部
１３０  通信部
【図１】
2011138516.tif 000003
【図２】
2011138516.tif 000004
【図３】
2011138516.tif 000005
【図４】
2011138516.tif 000006
【図５】
2011138516.tif 000007
【図６】
2011138516.tif 000008
【図７】
2011138516.tif 000009
【図８】
2011138516.tif 000010